(57)【要約】【課題】耐久性が高く、しかも高い防音効果を得ることができる防音フェンスを提供する。【解決手段】上下に突き合せられた複数の正面パネル１ａからなる正面板１と背面２板の周囲を左右の縦桟３と上胴縁４と下胴縁５とにより方形に枠組みし、正面板１と背面板２との間に上端から下端まで連続する空間部Ｓを形成し、この空間部の内部に複数の吸音材１ａを上下方向に重ねて収納し、上下に隣り合う正面パネル１ａの重合部の背面側には突縁部２７を形成し、この突縁部２７を吸音材６ａの正面側に形成された凹溝２８に嵌合させた。【選択図】図２
2012062702.tif 000002
【特許請求の範囲】
【請求項１】
上下に突き合せられた複数の正面パネルからなる正面板と背面板の周囲を左右の縦桟と上胴縁と下胴縁とにより方形に枠組みし、正面板と背面板との間に上端から下端まで連続する空間部を形成し、この空間部の内部に複数の吸音材を上下方向に重ねて収納し、上下に隣り合う正面パネルの重合部の背面側には突縁部を形成し、この突縁部を上記吸音材の正面側に形成された凹溝に嵌合させたことを特徴とする防音フェンス。
【請求項２】
上記突縁部は上下に隣り合う正面パネルのうち、上部の正面パネルの下端に形成された第１の突片部と下部の正面パネルの上端に形成された第２の突片部とを係合させることによって形成されたことを特徴とする、請求項１に記載の防音フェンス。
【請求項３】
上記左右の縦桟の間に中桟が配置され、上記吸音材の突縁部は上記中桟に固定されていることを特徴とする、請求項１又は２に記載の防音フェンス。
【請求項４】
上記上部胴縁及び下部胴縁は、それぞれ胴縁本体と胴縁アタッチメントとから構成され、上部胴縁本体の下端部と下部胴縁の上端部には長尺の胴縁アタッチメントが配置され、これらの胴縁アタッチメントはそれぞれ上記上部胴縁本体の下端部と下部胴縁の上端部に沿ってスライド可能に設けられていることを特徴とする、請求項１〜３のいずれかに記載の防音フェンス。
【請求項５】
上記正面板の正面側にはルーバー状の羽根が上下に間隔をおいて設けられていることを特徴とする、請求項１〜４のいずれかに記載の防音フェンス。
【発明の詳細な説明】
【技術分野】
【０００１】
本発明は防音効果を高めた防音フェンスに関する。
【背景技術】
【０００２】
一般に、防音フェンスや防音壁は、表裏面板の間に吸音材を挟んで固定する構成となっている。
【０００３】
ところで、吸音材は特許文献１に示されるように、防音壁の上端から下端まで一体のものを用いるのが好ましい。しかし、一体ものの吸音材は、経年劣化するにつれて下の部分が上の部分の荷重に耐えられなくなり、次第に上の部分が沈み込み、全高が低くなるため、上部が空疎になるという問題がある。
【０００４】
そこで、一枚の長大な吸音部材を表裏面板間に張設することに代え、複数の吸音材を金属製の表裏面材と周壁材との間に密封し、これらを上下方向に連続的に組み付けることにより、各吸音材を支持することにより、耐久性を確保していた（特許文献２参照）。
【先行技術文献】
【特許文献】
【０００５】
【特許文献１】実開平６−５７９１１号公報
【特許文献２】特開２００６−２８３５１２号公報
【発明の概要】
【発明が解決しようとする課題】
【０００６】
しかしながら、複数の吸音材を上下に重ね、左右に連続的に組み付ける構成では、上下又は左右に隣り合う吸音材間に隙間ができて音漏れがすることがある。また、隣り合う吸音材の外周面には金属製周壁材が配置されているので、この周壁材が直接に表側の音を裏側に伝播してしまい、防音効果を阻害する可能性がある。
【０００７】
そこで、本発明は、上記問題点を解決し、耐久性が高く、しかも高い防音効果を得ることができる防音フェンスを提供することをその課題とする。
【課題を解決するための手段】
【０００８】
上記課題を解決するため、請求項１に係る発明は、上下に突き合せられた複数の正面パネルからなる正面板と背面板の周囲を左右の縦桟と上胴縁と下胴縁とにより方形に枠組みし、正面板と背面板との間に上端から下端まで連続する空間部を形成し、この空間部の内部に複数の吸音材を上下方向に重ねて収納し、上下に隣り合う正面パネルの重合部の背面側には突縁部を形成し、この突縁部を上記吸音材の正面側に形成された凹溝に嵌合させたことを特徴とする。
【０００９】
請求項２に係る発明は、請求項１において、上記突縁部は上下に隣り合う正面パネルのうち、上部の正面パネルの下端に形成された第１の突片部と下部の正面パネルの上端に形成された第２の突片部とを係合させることによって形成されたことを特徴とする。
【００１０】
請求項３に係る発明は、請求項１又は２において、上記左右の縦桟の間に中桟が配置され、上記正面パネルの突縁部は上記中桟に固定されていることを特徴とする。
【００１１】
請求項４に係る発明は、請求項１〜３のいずれかにおいて、上記上部胴縁及び下部胴縁は、それぞれ胴縁本体と胴縁アタッチメントとから構成され、上部胴縁本体の下端部と下部胴縁の上端部には長尺の胴縁アタッチメントが配置され、これらの胴縁アタッチメントはそれぞれ上記上部胴縁本体の下端部と下部胴縁の上端部に沿ってスライド可能に設けられていることを特徴とする。
【００１２】
請求項５に係る発明は、請求項１〜４のいずれかにおいて、上記正面板の正面側にはルーバー状の羽根が上下に間隔をおいて設けられていることを特徴とする。
【発明の効果】
【００１３】
請求項１に係る発明によれば、複数の吸音材が収納された空間部は上端から下端まで連続形成されているから、正面側の外部音は連続する吸音材に吸収される。枠体の内部には、従来のように防音を阻害する金属製の部材はないから、外部音の吸収は効率的に行われ、高い防音効果を得ることができる。また、複数の吸音材は上下方向に重ねて収納され、上下に隣り合う正面パネルの重合部の背面側には突縁部が形成され、この突縁部が上記吸音材の正面側に形成された凹溝に嵌合されているので、各吸音材は上下に突き合せられた複数の正面パネルに支持されるので、吸音材は長期間正面板と背面板との間に密に保持され、耐久性が高く維持される。
【００１４】
請求項２に係る発明によれば、突縁部は上下に隣り合う正面パネルのうち、上部の正面パネルの下端に形成された第１の突片部と下部の正面パネルの上端に形成された第２の突片部とを係合させることによって形成されているので、上下の正面パネルで吸音材を支持することになり、正面パネルに対する荷重が軽減されるとともに、第１の突片部と第２の突片部との係合により、上部の正面パネルと下部の正面パネルとの間の面一性が良好に確保される。
【００１５】
請求項３に係る発明によれば、左右の縦桟の間に中桟が配置され、上記正面パネルの突縁部は上記中桟に固定されているので、上下の正面パネルと中桟とが一体化され、全体の強度が向上する。
【００１６】
請求項４に係る発明によれば、上下の胴縁は、上下の胴縁本体と胴縁アタッチメントとに分割構成され、縦桟に対しては胴縁アタッチメントを直接にビス固定することができるから、全体強度が向上し、胴縁本体に上下胴縁アタッチメントをスライドして取り付けることにより、上下胴縁にはビスが露出せず、外観がよく、またビス孔から雨水が浸入するという問題も回避される。
【００１７】
請求項５に係る発明によれば、正面板の正面側にはルーバー状の羽根が上下に間隔をおいて設けられているから、外観意匠に優れた防音フェンスを市場に提供することができる。
【図面の簡単な説明】
【００１８】
【図１】本発明に係る防音フェンスの正面図
【図２】（ａ）（ｂ）はそれぞれ図１のＡ−Ａ線及びＢ−Ｂ線上の断面図
【図３】図１のＣ−Ｃ線上の断面図
【図４】他の実施形態の防音フェンスの正面図
【図５】（ａ）（ｂ）は図４のＤ−Ｄ線及びＥ−Ｅ線上の断面図
【発明を実施するための形態】
【００１９】
図１は本発明に係る防音フェンスの正面図、図２（ａ）（ｂ）は図１のＡ−Ａ線及びＢ−Ｂ線上の断面図であり、図３は図１のＣ−Ｃ線上の断面図である。
【００２０】
上図において、防音フェンスは、金属製の正面板１と背面板２の周囲を、左右の縦桟３と上胴縁４と下胴縁５とにより方形に枠組みし、正面板１と背面板２との間の内部に形成された空間部Ｓの内部に吸音部材６を収納したものである。
【００２１】
正面板１はアルミニウムの押出形材製のパネル板１ａを上下に突き合わせてなるもので、パネル板１ａは、横長長方形で、上端には正面側に開口する略コ字形の第１の突片部７が、下端には下方に開口する略コ字形の第２の突片部８が、それぞれ背面側に突出するように形成されている。また、正面側にはルーバー状の羽根１０が上下方向に間隔をおいて突出形成されている。なお、最下部のパネル板１ａだけは、上下端に第１の突片部７が形成されている。
【００２２】
背面板２は、アルミニウムの面材で発砲樹脂の芯材を挟んだアルミニウム複合板である。これに代えて、他の金属の複合板でもよく、あるいは樹脂板、木板でもよい。
【００２３】
次に、正面板１と背面板２の周囲は、アルミニウムの押出形材からなる左右の縦桟３と中桟と上胴縁４と下胴縁５とにより方形に枠組みされている。
【００２４】
縦桟３は中空に形成され、背面側には背面板２の嵌合溝１１、正面側には正面板１の嵌合溝１２が形成されている。また、正面側には正面板１の羽根１０の端部に係合する係合縁１３が形成されている。
【００２５】
左右の縦桟３の間には中桟１４が配置されている。中桟１４は扁平な中空部材で、背面側にビスを通すための作業孔１５が形成されている。
【００２６】
上胴縁４は胴縁本体４ａと胴縁アタッチメント４ｂとから構成されている。胴縁本体４ａは上部に中空部１６を備え、中空部１６の正面部と背面部を下方に延出することにより1対の脚縁１７、１８が形成されている。これらの脚縁１７、１８の下端の対向面には長手方向に沿ってアリ溝２０が形成されている。
【００２７】
胴縁アタッチメント４ｂは押出形材製の長尺部材で、胴縁本体４ａの下端部に配置されている。この胴縁アタッチメント４ｂは胴縁本体４ａよりも幅広で、上方には１対の係止縁２２が突出形成されている。下方には、背面側に背面板２の嵌合溝２３、中間部に突縁２４がそれぞれ形成されている。上記係止縁２２は胴縁本体４ａのアリ溝２０に嵌合可能に形成され、胴縁本体４ａの一端からその下端部に沿ってスライド可能に取り付け可能となっている。
【００２８】
下胴縁５も胴縁本体５ａと胴縁アタッチメント５ｂとから構成されている。胴縁本体５ａは下部に中空部１６を備え、中空部１６の正面部と背面部を上方に延出することにより1対の脚縁１７、１８が形成されている。これらの脚縁１７、１８の上端の対向面には長手方向に沿ってアリ溝２０が形成されている。
【００２９】
なお、下胴縁５の胴縁アタッチメント５ｂも、上胴縁４の胴縁アタッチメント４ｂと略同じ構成である。この胴縁アタッチメント５ｂは胴縁本体５ａよりも幅広で、下部の背面側には1対の係止縁２２が突出形成されている。また、上方には、背面側に背面板２の嵌合溝２３、中間部に突縁２４がそれぞれ形成されている。上記係止縁２２は下胴縁５のアリ溝２０に嵌合可能に形成され、胴縁本体５ａの一端からその下端部に沿ってスライド可能に取り付け可能となっている。
【００３０】
吸音部材６はグラスウールなどによる複数の吸音材６ａを突き合せることにより構成され、吸音材６ａは正面板１のパネル板１ａと略同じ高さのパネル状に形成され、上端面には前段が低く後段が高い段部２６が形成されている。下端面と左右の両側面はフラットに形成されている。なお、最下部の吸音材は、その上下端に段部２６が形成されている。
【００３１】
次に、上記各部材によって防音フェンスを組み立てるときは、まず、作業台の上に複数のパネル板１ａを寝かせた状態にして置き、上下に隣り合うパネル板１ａの重合部の背面側に形成された第１の突片部７と第２の突片部８とを係合させる。これにより上下に隣り合う正面パネルの重合部の背面側には突縁部２７が突出形成されている。突縁部２７は背面側にあまり突出しすぎると、吸音材６ａが薄くなって吸音効果が小さくなる、突出度合いが小さいと、吸音材６ａの支持強度が小さくなる。したがって、縦枠の見込み幅の半分程度が好ましい。なお、上端と下端の突縁部２７は、それぞれ第１の突片部７のみによって形成されている。次に、正面板１の上に複数の吸音材６ａを縦横に並べる。縦方向に隣り合う吸音材６ａを突き合わせたとき、突き合わせ部には吸音材６ａの段部２６によって凹溝２８が形成されるので、この凹溝２８に正面板１の突縁部２７を嵌合させる。次に、中桟１４の背面側からビス３０を通して正面板１の突縁部２７に螺着する。さらに、吸音部材６の上に背面板２を重合配置する。そして、吸音部材６の周囲に胴縁アタッチメント４ｂ、５ｂと縦桟３を配置し、縦桟３の正面側と背面側の嵌合溝１２、１１に、それぞれ胴縁アタッチメント４ｂ、５ｂの突縁２４と、嵌合溝２３に嵌合された背面板２の両側端とを嵌合させ、係合縁部２７の両端は縦桟３の受け部９に係合させる。続いて、胴縁アタッチメント４ｂ、５ｂと中桟１４から挿通した各ビス３０を縦桟３と正面板１に螺合して固定する。これにより、正面板１と背面板２の間の空間部Ｓに吸音部材６が収納され、上下1対の胴縁アタッチメント４ｂ、５ｂと縦桟３とにより吸音部材６の周囲に外周壁が構成される。最後に、胴縁本体４ａ、５ａのアリ溝２０の一端を胴縁アタッチメント４ｂ、５ｂの係止縁２２からスライドさせて取り付ければよい。全体を所定の位置に垂直に立ち上げることにより、防音フェンスが構成される。
【００３２】
なお、中桟１４を固定する手段はビスでなく、リベット等であってもよいことはもちろんである。
【００３３】
上記構成によれば、吸音部材６が収納された空間部Ｓは上端から下端まで連続形成されているから、正面側の外部音は吸音部材６に吸収され、また、各吸音材６ａの外周は外周壁を除き、他の吸音材６ａに直接に重合し、従来のように防音を阻害する金属製の部材によって包囲されていないから、外部音の吸収は効率的に行われる。
【００３４】
また、正面板１の背面側には突縁部２７が形成され、この突縁部２７は吸音材６ａの正面側に形成された凹溝２８に嵌合するので、全体を垂直に起立させたとき、正面板１の突縁部２７によって吸音材６ａが均等に支持される。
【００３５】
また、複数の吸音材６ａは上下方向に重ねて収納され、上下に隣り合う正面パネル１ａの重合部の背面側の突縁部２７が吸音材６ａの正面側に形成された凹溝２８に嵌合されているので、各吸音材６ａは上下に突き合せられた複数の正面パネル１ａに支持されるので、吸音材６ａは長期間正面板１と背面板２との間に密に保持され、耐久性が高く維持される。
【００３６】
そして、突縁部２７は第１の突片部７と第２の突片部８とを係合させることによって形成されているので、上下の正面パネル１ａで吸音材６ａを支持することになり、正面パネル１に対する荷重が軽減されるとともに、第１の突片部７と第２の突片部８との係合により、上部の正面パネル６ａと下部の正面パネル６ａとの間の面一性が良好に確保される。
【００３７】
加えて、左右の縦桟３の間に中桟１４が配置され、上記正面パネル１ａの突縁部２７は中桟１４に固定されているので、上下の正面パネル１ａと中桟１４とが一体化され、全体の強度が向上する。
【００３８】
さらに、上下胴縁４、５は胴縁本体４ａ、５ａと胴縁アタッチメント４ｂ、５ｂとから分割構成され、縦桟３に対しては胴縁アタッチメント４ｂ、５ｂを直接にビス３０で固定することができるから、胴縁アタッチメント４ｂ、５ｂに上下の胴縁本体４ａ、５ａをスライドして取り付けることにより、全体強度が向上し、また上下胴縁４、５にはビスが露出せず、外観がよく、またビス孔から雨水が浸入することもない。
【００３９】
また、正面板１の突縁部２７は中桟１４に固定されるので、正面板１の取り付け強度がアップする。また、この中桟１４と背面板２との間には隙間ａが形成されているから、正面板１の振動が中桟１４に伝達されても、中桟１４の振動は背面板２に直接に伝達されることがない。したがって、中桟１４によって防音効果が妨げられることはない。
【００４０】
正面板１の正面側にはルーバー状の羽根１０が上下に間隔をおいて設けられているから、外観意匠に優れた防音フェンスを市場に提供することができる。
【００４１】
なお、図４及び図５（ａ）（ｂ）は他の実施形態で、上下の胴縁アタッチメント４ｂ、５ｂの幅は上下胴縁本体４ａ、５ａと同じに設定され、また、正面板１の外側面は平面状に形成され、パネル板１ａの外側にルーバー状の羽根は形成されていない。上下胴縁４、５の正面側の端部にはパネル板１ａを押える突縁２４が形成されている。その他の構成は、図１〜図３に示したものと同じである。
【符号の説明】
【００４２】
Ｓ    空間部
１    正面板
１ａ  パネル板
２    背面板
３    縦桟
４    上胴縁
４ａ  胴縁本体
４ｂ  胴縁アタッチメント
５    下胴縁
５ａ  胴縁本体
５ｂ  胴縁アタッチメント
６  吸音部材
６ａ  吸音材
１４  中桟
２７  突縁部
２８  凹溝
【図１】
2012062702.tif 000003
【図２】
2012062702.tif 000004
【図３】
2012062702.tif 000005
【図４】
2012062702.tif 000006
【図５】
2012062702.tif 000007